(57)【要約】  管状の基本ジブ体と、この基本ジブ体の内部で伸縮可能に配設される少なくとも１つのジブ体と、最も内側に配設されるジブ体の先端部の外周面に方向転換用のシーブを有するヘッドとを備えている伸縮可能なクレーンジブ。この最も内側に配設されるジブ体の先端部のヘッドおよび先端側の支承部の機能を一体に構成した枠体が設けられ、ヘッド（１）に付属する全部品がジブ体の横断面の外周側に配置され、かつジブの延長用として少なくとも１つの他のジブ体がこのジブ体に挿入可能となるように、この枠体がジブ体（３）の外周面に配置されている。【選択図】図１
2009537419.tif 000002
【特許請求の範囲】
【請求項１】
管状の基本ジブ体と、前記基本ジブ体の内部で伸縮可能に配設される少なくとも１つのジブ体と、最も内側に配設されたジブ体（３）の先端部の外周面に設けられるとともに方向転換用のシーブ（１１）を有するヘッド（１）とを備えている伸縮可能なクレーンジブにおいて、
前記最も内側に配設されたジブ体の先端部に設けられる前記ヘッドと先端側の支承部との機能を一体に構成した枠体が設けられ、前記ヘッド（１）に付属する全部品が前記ジブ体の横断面の外周側に配設され、かつジブの延長用として少なくとも１つの他のジブ体が前記ジブ体の内部に挿入可能となるように、前記枠体が前記ジブ体（３）の外周面に配設されている、伸縮可能なクレーンジブ。
【請求項２】
少なくとも１つの他のヘッドを備え、前記他のヘッドが挿入される側の前記ジブ体に取付けられている、請求項１に記載の伸縮可能なクレーンジブ。
【請求項３】
前記他のヘッドが前記最も内側に配設されるジブ体に取付けられている、請求項２に記載の伸縮可能なクレーンジブ。
【請求項４】
挿入される側の前記最も内側に配設されるジブ体に主ジブの延長部用取付部が設けられている、請求項１に記載の伸縮可能なクレーンジブ。
【請求項５】
前記主ジブの延長部が起伏可能な補助ジブとなっている、請求項４に記載の伸縮可能なクレーンジブ。
【請求項６】
前記主ジブの延長部が起伏可能な補助ジブ用のアダプタとなっている、請求項４に記載の伸縮可能なクレーンジブ。
【請求項７】
前記ヘッド（１）が少なくとも１つの送給用シーブ（１３）を備え、前記送給用シーブが前記横断面に干渉することなく旋回可能、摺動可能、または組付け可能に前記ヘッドに配設されている、請求項１に記載の伸縮可能なクレーンジブ。
【請求項８】
前記ヘッド（１）が少なくとも１つの送給用シーブ（１３）を備え、前記送給用シーブが、旋回、摺動または組付けによって横断面内に導入可能となるように、旋回可能、摺動可能または組付け可能にヘッドに配置されている、請求項７に記載の伸縮可能なクレーンジブ。
【請求項９】
前記ヘッド（１）が互いに結合された結合部材（７，８）から構成されている、請求項１に記載の伸縮可能なクレーンジブ。
【請求項１０】
前記結合部材（７，８）にシーブセット（１１）が配設されている、請求項９に記載の伸縮可能なクレーンジブ。
【請求項１１】
前記結合部材（７，８）に前記ジブの控え綱用取付部が配設されている、請求項９に記載の伸縮可能なクレーンジブ。
【請求項１２】
前記結合部材（７，８）にフォークヘッド（４，５）が前記ジブの延長部用取付部として配設されている、請求項９に記載の伸縮可能なクレーンジブ。
【請求項１３】
前記両方のヘッドにおけるシーブセットがフックブロックのロープを通すために利用可能に構成されている、請求項２に記載の伸縮可能なクレーンジブ。
【請求項１４】
外側の前記ジブ体のヘッドに設けられるシーブセットのみがフックブロックのロープを通すために利用可能に構成されている、請求項２に記載の伸縮可能なクレーンジブ。
【請求項１５】
内側の前記ジブ体のヘッドに設けられるシーブセットがロープの方向転換部として機能するように構成されている、請求項１４に記載の伸縮可能なクレーンジブ。
【請求項１６】
前記ヘッドが着脱可能に前記ジブ体に取付けられている、請求項１または２に記載の伸縮可能なクレーンジブ。
【発明の詳細な説明】
【技術分野】
【０００１】
本発明は、管状の基本ジブ体と、この基本ジブ体の内部で伸縮可能に配設される少なくとも１つのジブ体と、最も内側に配設されたジブ体の先端部の外周面に方向転換用のシーブを有するヘッドとを備えている伸縮可能なクレーンジブに関する。
【背景技術】
【０００２】
伸縮ジブを備えた自走クレーンに関して公共道路交通用に許容された総重量は、許容軸荷重（例えば、ドイツでは１２ｔ）と車軸数とによって定められている。カウンタウェイト、および主ジブの延長部等のクレーン部品は、許容軸荷重内に抑えるためにしばし別に輸送することが必要となる。剛性の高い薄板製のジブ体から構成される伸縮ジブの長さも、輸送能力とユニット当りの最大許容重量とを限られたものにしている。
【０００３】
最終的に内部に取付けられるジブ体、つまり最も内側に配設されたジブ体は、巻上ロープを通すため、および巻上ロープを（送給用シーブによって）方向転換させるためのシーブセットを有するヘッドを備えており、このヘッドは、場合によっては主ジブの延長部用およびジブの控え綱用の取付部を先端部に備えている。このようなヘッドは、ジブ体の横断面内に組み込まれている。また、内部のジブ体を完全に取り外す以外には分解することができない鋼部材および付属部品によって、ジブ体の大部分は閉じられている。
【０００４】
追加的に内部に設けられるジブ体によって伸縮ジブを延長しようとする場合、内部に設けられるジブ体は、別に輸送して現場で組付ける必要がある。そこで、最も内側のジブ体であるヘッド付きのジブ体を最初に取り外す必要がある。このような場合、ジブ体は、ヘッドのない状態で、同じ横断面および先端側の支承部と共に、場合によっては他の追加的に内部に設けられるジブ体と共に、挿入されなければならないこととなる。
【０００５】
この欠点として、ヘッドを取付けた最も内側のジブ体と付属するシーブセットとを最初に分解しなければならない一方で、延長されたジブにおいては引き続き使用することができずに、延長部のために同じ横断面の２つのジブ体が必要となるということがある。一方のジブ体は、延長された後には利用されずに余ることとなる。
【発明の開示】
【発明が解決しようとする課題】
【０００６】
本発明の課題は、ジブを延長されたジブに変換する場合において、分解作業もしくは組付け作業を軽減して、この変換後にジブ体が余りかつ現場で不要となる事態を避けることにある。
【課題を解決するための手段】
【０００７】
この課題は、本発明によれば、管状の基本ジブ体と、この基本ジブ体の内部で伸縮可能に配設される少なくとも１つの内部のジブ体と、最も内側のジブ体の先端部の外周面に方向転換用のシーブを有するヘッドとを備えている伸縮可能なクレーンジブにおいて、この最も内側に配設されたジブ体の先端部に設けられるヘッドと先端側の支承部との機能を一体に構成した枠体が設けられ、ヘッドに付属する全部品がジブ体の横断面の外周側に配設され、かつジブの延長用として少なくとも１つの他のジブ体がこのジブ体の内部に挿入可能となるように、この枠体がジブ体の外周面に配設されることによって解決される。
【０００８】
少なくとも１つの他のヘッドを備え、この他のヘッドが挿入される側のジブ体に取付けられることができる。
【０００９】
他のヘッドが最も内側に配設される内部のジブ体に取付けられている。
【００１０】
本発明の一実施形態によれば、挿入される側の最も内側に配設されるジブ体に主ジブの延長部用取付部が設けられている。
【００１１】
主ジブの延長部は起伏可能な補助ジブ、または起伏可能な補助ジブ用のアダプタとすることができる。
【００１２】
他の一実施形態によれば、ヘッドは少なくとも１つの送給用シーブを備えていてもよく、この送給用シーブは横断面に干渉することなく旋回可能、摺動可能または組付け可能にヘッドに配置されている。
【００１３】
ヘッドが少なくとも１つの送給用シーブを備え、この送給用シーブが、旋回、摺動または組付けによって横断面内に導入可能となるように、旋回可能、摺動可能または組付け可能にヘッドに配置されてもよい。
【００１４】
ヘッドが互いに結合された結合部材から構成されると有利である。
【００１５】
結合部材にシーブセットを配設することができる。
【００１６】
結合部材にジブの控え綱用取付部を配置しておくことができ、または結合部材にフォークヘッドをジブの延長部用取付部として配設しておくことができる。
【００１７】
他の一実施形態によれば、両方のヘッドにおけるシーブがフックブロックのロープを通すために利用可能としておくことができる。
【００１８】
一方で、外側のジブ体のヘッドに設けられるシーブセットのみがフックブロックのロープを通すために利用可能であることも可能である。
【００１９】
内側のジブ体のヘッドに設けられるシーブセットはロープの方向転換部として利用することができ、ヘッドが着脱可能にジブ体に取付けられていてもよい。
【００２０】
本発明は、ヘッドおよび先端側の支承部の機能を枠体として一体化することにあり、この枠体は、内側に配設されるジブ体または別のジブ体の外周面に設置されるか、または組付けられており、ヘッドを取り付けたジブ体の取り外しを必要とせずに他の内部のジブ体を挿入するため、大掛かりな変換作業を必要とせずに横断面同士を接近可能にすることができる。
【図面の簡単な説明】
【００２１】
【図１】シーブセットを備えるとともにジブに組付けられたヘッドを示す図である。
【図２】上述のヘッドの正面図である。
【図３】送給用シーブの相応する位置への配置状態を示す図である。
【図４】上述の配置状態の正面図である。
【図５】本発明の実施形態において、ダブルヘッド／ダブルフック運転を同時に可能として延長可能に構成されるジブを示す図である。
【発明を実施するための最良の形態】
【００２２】
以下、図面に示した実施例に基づいて本発明を説明する。
【００２３】
ヘッド１は耐荷重性を有する鋼構造体から構成されており、このようなヘッド１はジブ体３の横断面２の完全に外側に配置されている。主ジブの延長部用取付部として構成されるフォークヘッド４，５はジブ体の角Ｒ部６の外側に配置され、それぞれ水平方向および垂直方向で結合部材７，８によって互いに結合されている。同時に、諸力をジブ体３に伝えるために、フォークヘッドは長手方向９でジブ体の角Ｒ部６と結合されている。
【００２４】
下側のフォークヘッド４にシーブセット１１用の懸架部１０が接続されており、シーブセットに作用する力は既存の結合部材を介してジブ体３へと伝えられることとなる。上側のフォークヘッド５の後端部に、例えば横方向のジブの控え綱用取付部１２を左右それぞれに配置しておくことが可能であり、この取付部に作用する力は既存の結合部材を介してジブ体３に伝えられることとなる。
【００２５】
上側のフォークヘッド５の間にシーブセット１１用の少なくとも１つの送給用シーブ１３が配置されており、この送給用シーブは、様々なロープを通す時にロープの偏向角を最小にするため、幅方向で摺動可能としておくことが可能である。この送給用シーブ１３が横断面２内に突出する場合、送給用シーブは、追加的に内部のジブ体を押し込むことを可能とするため、摺動、旋回または持ち上げによって横断面から取り除くことができる。送給用シーブ１３を横断面２から取り除く必要がないように、送給用シーブを横断面の外側に配置することも可能である。
【００２６】
ジブ体６の横断面２がヘッドの端部まで設けられるジブ体の角Ｒ部に滑り材１４が取付けられている。滑り材１４は、先行技術の伸縮ジブにおけるように、挿入される内部のジブ体１５を案内し、かつ支承するように構成されている。
【００２７】
フォークヘッド４，５の結合部材７，８がジブ体の横断面２を補強しており、これによって支承力が吸収されることとなる。
【００２８】
前記ヘッドが着脱可能に前記ジブ体に取付けられている、請求項１または２に記載の伸縮可能なクレーンジブ。
【図１】
2009537419.tif 000003
【図２】
2009537419.tif 000004
【図３】
2009537419.tif 000005
【図４】
2009537419.tif 000006
【図５】
2009537419.tif 000007
【国際調査報告】
2009537419.tif 000008
2009537419.tif 000009
2009537419.tif 000010
2009537419.tif 000011